(57)【要約】【課題】  一旦保留した遊技球を周囲に噴出させるように放出する保留装置を備える構成の遊技機を提供する。【解決手段】  パチンコ機では、保留装置２７，２８が、複数の遊技球Ｂａを保留し得る保留回転体４９と、保留回転体４９からの遊技球Ｂａの放出を規制する放出規制部Ｒとを備え、保留回転体４９が、放射状の複数の遊技球収容室４９ａを備え、放出規制部Ｒが、保留回転体４９の回転時に該保留回転体４９に対する規制を少なくとも一部解除するように構成される。これにより、遊技球Ｂａを遊技球収容室４９ａに収容しつつ、放出規制部Ｒの開放部分から遊技球収容室４９ａ内の遊技球Ｂａを遠心力で放出させることができ、変化に富んだ演出が実現できる。【選択図】      図２
2006223526.tif 000002
【特許請求の範囲】
【請求項１】
遊技盤の遊技領域に打ち出された遊技球の一部を保留し該保留した遊技球を所定の契機で前記遊技領域に放出する保留装置を備える遊技機であって、
前記保留装置は、前記遊技領域と直交する方向の回転軸により前記遊技盤に支持されて複数の遊技球を保留し得る保留回転体と、該保留回転体からの遊技球の放出を規制するように該保留回転体を囲繞する放出規制部とを備え、
前記保留回転体は、前記回転軸を中心とする放射状に分割されて夫々が外方に開放された複数の遊技球収容室を備え、かつ
前記放出規制部は、前記保留回転体の回転時に該保留回転体に対する規制を少なくとも一部解除するように構成される、
ことを特徴とする遊技機。
【請求項２】
前記放出規制部は、前記遊技盤の厚み方向に進退可能に支持された少なくとも１つの規制壁を備え、前記保留回転体の回転中に、前記遊技盤から進出した状態の前記規制壁を前記遊技盤から後退させて前記保留回転体への規制を解除して前記遊技球収容室内の遊技球を前記遊技領域に放出してなる、
ことを特徴とする請求項１に記載の遊技機。
【請求項３】
前記遊技領域の略中央部にユニット役物を更に備え、かつ
前記保留装置が、前記遊技領域における前記ユニット役物の一側及び他側に配置され、
前記ユニット役物の上方に、前記２つの保留装置に遊技球を導入し得る入球部を備えてなる、
ことを特徴とする請求項１又は２に記載の遊技機。
【発明の詳細な説明】
【技術分野】
【０００１】
本発明は、パチンコ機等の遊技機に関し、詳しくは、一旦打ち出された遊技球を保留した後放出することで遊技性を高めた遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたもの（所謂フィーバー機：以下、「第１種特別電動役物」と言う）が知られている（例えば、特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる画像表示装置の画面上で所定の演出表示が行われる。大当たりの発生時には、アタッカーと呼ばれる大入賞口が開放し、入球に対応して多量の遊技球が払い出される状態となる。
【０００４】
一方、遊技域に特定入賞口と始動口と変動入賞装置を設け、特定入賞口への遊技球の入賞をもとに所定の条件が成立したときに、特別遊技の権利を発生させ、当該権利発生中に始動口に入賞した時点で変動入賞装置を遊技者に有益となる開放状態にして、入賞率の高い特別遊技を行わせるパチンコ機（所謂権利モノ：以下、「第３種特別電動役物」と言う）も存在する。
【０００５】
上記第３種特別電動役物では、始動口の入賞率が低い場合、特別遊技の権利が発生したとしても特別遊技への移行が難しく、特別遊技に移行するまでに持ち球を無くしたり、特別遊技を行っても再び特別遊技に移行するまでに獲得球が減少したりする虞があった。また逆に、始動口の入賞率が高くなってしまった場合には、特別遊技をそれほどの回数行わないうちに特定入賞口に再び入賞し、権利が折角発生したにも拘わらず特別遊技を充分に楽しまないうちにその権利が消滅する虞もあった。しかし、入賞率は始動口の命釘等の調整具合で決まるため、状況に応じて釘調整を行う必要があるが、当該釘調整は熟練を要するものであり、的確な調整は困難とされていた。
【０００６】
そこで、遊技域から導入口に進入した遊技球を保留し且つ当該保留球を開閉手段を介して球解放口から遊技域に放出する保留装置を始動口の直上方に配置し、保留装置の保留球が開閉手段を経て球解放口から遊技域に放出された際、直下方の始動口に高確率で入賞できるように構成したパチンコ機が案出されている（例えば、特許文献２参照）。
【０００７】
【特許文献１】特開２００３−２３６２１０号公報
【特許文献２】特開平０５−００３９４５号公報
【発明の開示】
【発明が解決しようとする課題】
【０００８】
ところで、上記特許文献２に記載されるパチンコ機によると、特別遊技の権利発生時に始動口に対し、保留装置に保留した保留球を、開閉手段を介してタイミング良く入賞することができる。従って、始動口への入賞球を徒に増加させることなく、特別遊技を効率良く繰り返し行う可能性が高まるのであるが、当該パチンコ機の遊技の性質上、保留装置に保留した遊技球を連続的に入賞させることはできず、当該始動口の電動チューリップが開放した瞬間に遊技球を１個ずつ落下させて入賞させるのみであった。
【０００９】
このため、保留装置に保留された遊技球が確実に１個ずつ始動口に入賞できるものの、保留後の放出時の迫力に欠ける面があることは否めず、従って、放出時の迫力を増大させ、より変化に富んだ演出を実現できる構造が切望される。
【００１０】
そこで本発明は、保留装置を、一旦保留した遊技球を周囲に噴出させるように放出する構成を備えるものとし、もって上述した課題を解決した遊技機を提供することを目的とするものである。
【課題を解決するための手段】
【００１１】
請求項１に係る本発明は（例えば図１ないし図４参照）、遊技盤（７）の遊技領域（７ａ）に打ち出された遊技球（Ｂａ）の一部を保留し該保留した遊技球（Ｂａ）を所定の契機で前記遊技領域（７ａ）に放出する保留装置（２７，２８）を備える遊技機（１）であって、
前記保留装置（２７，２８）は、前記遊技領域（７ａ）と直交する方向の回転軸（４６）により前記遊技盤（７ａ）に支持されて複数の遊技球（Ｂａ）を保留し得る保留回転体（４９）と、該保留回転体（４９）からの遊技球の放出を規制するように該保留回転体（４９）を囲繞する放出規制部（Ｒ）とを備え、
前記保留回転体（４９）は、前記回転軸（４６）を中心とする放射状に分割されて夫々が外方に開放された複数の遊技球収容室（４９ａ）を備え、かつ
前記放出規制部（Ｒ）は、前記保留回転体（４９）の回転時に該保留回転体（４９）に対する規制を少なくとも一部解除するように構成される、
ことを特徴とする遊技機（１）にある。
【００１２】
請求項２に係る本発明は（例えば図１及び図２参照）、前記放出規制部（Ｒ）が、前記遊技盤（７）の厚み方向に進退可能に支持された少なくとも１つの規制壁（例えば５１〜５３）を備え、前記保留回転体（４９）の回転中に、前記遊技盤（７）から進出した状態の前記規制壁（例えば５１〜５３）を前記遊技盤（７）から後退させて前記保留回転体（４９）への規制を解除して前記遊技球収容室（４９ａ）内の遊技球（Ｂａ）を前記遊技領域（７ａ）に放出してなる、
ことを特徴とする請求項１に記載の遊技機（１）にある。
【００１３】
請求項３に係る本発明は（例えば図１及び図２参照）、前記遊技領域（７ａ）の略中央部にユニット役物（１２）を更に備え、かつ
前記保留装置（４９）が、前記遊技領域（７ａ）における前記ユニット役物（１２）の一側及び他側に配置され、
前記ユニット役物（１２）の上方に、前記２つの保留装置（４９）に遊技球（Ｂａ）を導入し得る入球部（１０）を備えてなる、
ことを特徴とする請求項１又は２に記載の遊技機（１）にある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、保留装置が、複数の遊技球を保留し得る保留回転体と、保留回転体からの遊技球の放出を規制する放出規制部とを備え、保留回転体が、放射状の複数の遊技球収容室を備え、かつ放出規制部が、保留回転体の回転時に該保留回転体に対する規制を少なくとも一部解除するように構成されるので、遊技領域に一旦打ち出された遊技球を遊技球収容室に収容しつつ回転する保留回転体に対する放出規制部の規制を一部解除することで、その開放部分から遊技球収容室内の遊技球を、回転する保留回転体による遠心力で放出させることができる。この放出する際の遊技球の個数やその放出方向は、保留回転体に対する放出規制部の規制解除の仕方に応じて変化させることができ、従って、放出時の迫力を増大させ、より変化に富んだ演出を実現することができる。
【００１６】
請求項２に係る本発明によると、放出規制部が、保留回転体の回転中に、遊技盤から進出した状態の規制壁を遊技盤から後退させて保留回転体への規制を解除して遊技球収容室内の遊技球を遊技領域に放出するように構成されるので、保留回転体の回転中に規制壁を進退させるだけの簡単な構造により、保留回転体に収容した遊技球を所定のタイミングで遊技領域に放出することができるようになる。
【００１７】
請求項３に係る本発明によると、保留装置が、遊技領域におけるユニット役物の一側及び他側に配置され、ユニット役物の上方に、保留装置に遊技球を導入し得る入球部を備えるので、遊技者が遊技領域に向けて遊技球を普通に打ち出すだけで、ユニット役物上方の入球部に容易に入球させて、保留装置に遊技球を円滑に導入することができる。
【発明を実施するための最良の形態】
【００１８】
以下、本発明に係る遊技機の実施形態として、遊技場等に設置されるパチンコ機を図１ないし図４に沿って説明する。
【００１９】
なお、図１は本発明の実施形態におけるパチンコ機の外部構造を示す正面図、図２は本パチンコ機から遊技盤を単体で分離した状態で示す正面図、図３は本パチンコ機の制御系を示すブロック図、図４は本パチンコ機による作動を説明するためのフローチャートである。なお、後述する遊技盤の遊技領域には多数の障害釘や複数の風車等が植設されているが、図１及び図２においてそれらは便宜上図示を省略している。また図２において、図１に示すガイドレール６２は便宜上図示を省略している。
【００２０】
本パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー（大入賞口）１７に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２１】
図１に示すように、本実施形態におけるパチンコ機１は、開口を有する枠体状の筐体２と、この筐体２にヒンジ２６ａ，２６ｂを介して開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２２】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２３】
また、前扉３における上皿１３の下方には下皿１５が配置されており、該下皿１５の左部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。
【００２４】
なお、図１中の符号６２は、発射ハンドル９の操作で発射された遊技球を遊技盤７の遊技領域７ａに導くガイドレールを示し、符号２２はアウト口を示している。また、本パチンコ機１には、遊技中に遊技領域３ａにて入賞することなく落下してアウト口２２に入り込んだ遊技球をパチンコ機背面側に導くアウト球通路（図示せず）が設けられている。
【００２５】
そして、遊技盤７の遊技領域７ａには、図１及び図２に示すように、略中央部にセンター役物（ユニット役物）１２が配設されており、該センター役物１２上部の左右（一側及び他側）には、本発明の特徴である保留装置２７，２８が夫々配設されている。更に、センター役物１２の下部左右には、大当たり抽選に寄与しない一般の入賞が行われる入賞口２９，３０が配設されており、センター役物１２の下方には、始動チャッカー１６と、アタッカー１７とが順次配設されている。なお、センター役物１２の中央部には、開口から露出するように画像表示装置４７が配置されている。
【００２６】
始動チャッカー１６は、後述の第１抽選手段３３による大当たり抽選実行の契機となり得る入賞が行われる役物であり、アタッカー１７は、大当たり発生時に開放され、遊技盤７の遊技領域７ａに打ち出されて転動落下する遊技球Ｂａを入賞させる役物である。アタッカー１７は、大当たり発生中、１回の開放で１０個の入球を完了した時点で閉じ、当該開閉動作を１５回繰り返すように構成されている。なお、これらの入球数並びに開閉動作の回数は、１０個や１５回に限定されることはなく、必要に応じて適宜設定され得るものである。
【００２７】
ここで、上記保留装置２７，２８について詳細に説明する。すなわち、保留装置２７，２８は夫々、ガイドレール６２に沿って遊技領域７ａに打ち出された遊技球Ｂａのうちの最大８個を一旦保留し、これら遊技球Ｂａを所定の契機で遊技領域７ａに噴出させるように放出する構成を備えている。
【００２８】
保留装置２７，２８は、図２に示すように、遊技領域７ａと直交する方向に立設された回転軸４６により遊技盤７ａに支持されて最大８個の遊技球Ｂａを保留し得る保留回転体４９と、該保留回転体４９からの遊技球Ｂａの放出を規制するように該保留回転体４９を囲繞する放出規制部Ｒとを有している。遊技領域７ａの左右に位置する保留装置２７，２８の各回転軸４６は、後述する左保留回転体回転モータ５５及び右保留回転体回転モータ５６（図３参照）から駆動力を伝達されることで回転駆動して、保留装置２７の保留回転体４９を図２の矢印Ａ方向（時計回り方向）に、保留装置２８の保留回転体４９を図２の矢印Ｂ方向（反時計回り方向）に夫々回転させるように構成されている。
【００２９】
また、双方の保留回転体４９は、回転軸４６を中心とする放射状に分割されて夫々が外方に開放された８個の遊技球収容室４９ａを有している。各遊技球収容室４９ａは、隔壁４９ｂによって相互に区画されている。これら遊技球収容室４９ａの個数は８個に限定されるものではなく、設計に応じて、８個未満、或いは８個を超える個数として適宜変更され得るものであり、これに伴って、保留装置２７，２８に保留可能な遊技球数は適宜変更され得る。
【００３０】
保留回転体４９は、遊技球収容室４９ａ内部に保留した遊技球Ｂａを視認可能に透過する透明部材からなり、この透明部材として、例えばガラス材、アクリル系樹脂、ポリカーボネート系樹脂を挙げることができる。なお、透明部材の透明状態は、保留回転体４９内の遊技球Ｂａを完全に透過した状態で視認し得ることのみを意味する概念ではなく、遊技球Ｂａの存在等が分かる程度の所謂半透明の状態をも含む概念である。
【００３１】
保留装置２７，２８の夫々において、上記放出規制部Ｒは、保留回転体４９の回転時に該保留回転体４９に対する規制を少なくとも一部解除するように構成されている。すなわち、保留装置２７，２８において放出規制部Ｒは夫々、遊技盤７に固定された１つの規制壁５０と、遊技盤７の厚み方向に進退可能に支持された３つの規制壁５１〜５３とから構成されている。
【００３２】
上記規制壁５０は、保留回転体４９の下部側にて、遊技球Ｂａを外方に放出しない程度の僅かな隙間をあけた形で対面する円弧状に形成されており、遊技盤７に対して固定された形で保留回転体４９の下側半分を覆う。また、規制壁５１〜５３は夫々、保留回転体４９の上部側にて、遊技球Ｂａを外方に放出しない程度の僅かな隙間をあけた形で順に対面する円弧状に形成されており、遊技盤７に対して進退自在に支持された形で保留回転体４９の上側半分を覆う。規制壁５１，５２，５３は夫々、遊技盤７から後退して保留回転体４９への規制を解除した際に、少なくとも遊技球１個を通過させるだけのスペースをあけ得るように、円周方向の幅が設定されている。これら規制壁５１〜５３は、保留装置２７側においては時計回りに順に配置され、また保留装置２８側においては反時計回りに順に配置されている。規制壁５０，５１，５２，５３は夫々、保留回転体４９よりやや大きい曲率半径を有して構成される。
【００３３】
遊技盤７における保留装置２７，２８の規制壁５１〜５３に夫々対応する位置には、規制壁５１，５２，５３よりも若干大きい相似形の３つの表裏貫通孔５４が形成されており、これら表裏貫通孔５４には夫々、規制壁５１〜５３が遊技盤７の厚み方向（図２の紙面手前−奥方向）に進退可能に嵌挿された形で支持されている。これら規制壁５１〜５３は夫々、保留回転体４９の回転中に、後述する規制壁進退第１〜第３ソレノイド５７〜５９（図３参照）の作動により、遊技盤７の前方に進出（突出）した状態から後退して保留回転体４９への規制を解除することで、遊技球収容室４９ａ内の遊技球Ｂａを遠心力で遊技領域７ａに放出させるように機能する。
【００３４】
また、遊技領域７ａにおけるセンター役物１２のやや上方には、２つの保留装置４９に遊技球Ｂａを導入するように入球口（入球部）１０が配設されている。この入球口１０のやや上方には、該入球口１０への入球を適宜制限する左右で一対の障害釘１１，１１が植設されている。
【００３５】
入球口１０は、下部及び側面が開放しており、該開放部分を介して入球口１０に連通して保留装置２７，２８に遊技球Ｂａを案内する遊技球案内路６，６が、遊技盤７の表面から後退する形で設けられている。そして、遊技球案内路６，６の各下端部は、遊技盤７における保留装置２７，２８の各規制壁５０内側に開口する遊技球導入口６ａ，６ａとして構成される。
【００３６】
入球口１０から保留装置２７に向かう遊技球案内路６は、入球口１０から保留装置２７に向かって下降するように傾斜して形成されており、入球口１０から保留装置２８に向かう遊技球案内路６は、入球口１０から保留装置２８に向かって下降するように傾斜して形成されている。従って、入球口１０に入球した遊技球Ｂａは、障害釘１１，１１との当接状況や入球口１０に進入するときの僅かな角度の違い等に起因して、保留装置２７への遊技球案内路６側と保留装置２８への遊技球案内路６側とに、適時振り分けられて導入されることとなる。
【００３７】
次に、本実施形態におけるパチンコ機１の制御系を図３に沿って説明する。すなわち、本制御系は、主基板４１と、この主基板４１に接続されたサブ基板４２とを備えている。主基板４１は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００３８】
主基板４１は、入賞判定手段３１、入賞信号出力手段３２、第１抽選手段３３、第２抽選手段３４、遊技制御手段３５、保留手段３６、作動制御手段３７、作動判定手段３８、作動決定手段３９、及び保留制御手段６１を備えている。また主基板４１には、始動チャッカー開閉ソレノイド４５、アタッカー開閉ソレノイド４０、左保留回転体回転モータ５５、右保留回転体回転モータ５６、規制壁進退第１ソレノイド５７、規制壁進退第２ソレノイド５８、及び規制壁進退第３ソレノイド５９が接続されている。
【００３９】
入賞判定手段３１は、発射ハンドル９の操作で作動する発射装置（図示せず）によって遊技領域７ａに打ち出された遊技球が始動チャッカー１６、入賞口２９，３０、アタッカー１７の何れかに入賞したとき、当該入賞があった旨を判定する。
【００４０】
入賞信号出力手段３２は、入賞判定手段３１によって入賞が判定されたとき、対応する始動チャッカー１６、入賞口２９，３０、アタッカー１７に入賞した旨の入賞信号を出力する。
【００４１】
第１抽選手段３３は、入賞信号出力手段３２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００４２】
第２抽選手段３４は、第１抽選手段３３での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力する。なお、上記「大当たり有効ライン」は、大当たりを得るため図柄が一列に並ぶべき位置（ライン）を意味する。第２抽選手段３４はまた、第１抽選手段３３での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力する。第２抽選手段３４はまた、第１抽選手段３３での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力する。
【００４３】
遊技制御手段３５は、予め設定された演出データや第２抽選手段３４での抽選結果に応じて、画像表示装置４７に表示すべき演出内容に関する信号を、制御コマンドと共にサブ基板４２の表示制御手段４４に送信する。
【００４４】
保留手段３６は、第２抽選手段３４から出力された変動パターンコマンドを入力し、始動チャッカー１６への入賞の都度に行われた抽選の結果となる保留球として順次記憶する。当該記憶状況は、画像表示装置４７に備えた保留球表示部（図示せず）に、例えば最大４個の保留球として点灯表示される。保留手段３６は、例えば保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００４５】
そして保留手段３６は、保留（記憶）している変動パターンコマンドを順次表示制御手段４４に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段３６は、保留球の消費に応じて保留球数ＨがＨ＜４となった場合、第１抽選手段３３で行われる始動チャッカー１６への入賞に応答した大当たり抽選の結果を保留球として記憶し、保留球数を１インクリメントする。
【００４６】
作動制御手段３７は、作動決定手段３９の作動開始決定の旨の信号に基づき、始動チャッカー開閉ソレノイド４５に駆動信号を送って該ソレノイド４５を作動させて始動チャッカー１６を開放又は閉塞動作させる。更に作動制御手段３７は、アタッカー開閉ソレノイド４０に駆動信号を送って該ソレノイド４１を作動させ、第１抽選手段３３での抽選による大当たり発生時にアタッカー１７を開放して所定数入賞が終了する（又は所定時間が経過する）毎に閉塞する動作を所定回数（所定ラウンド）だけ繰り返すように制御する。
【００４７】
作動判定手段３８は、始動チャッカー開閉ソレノイド４５及びアタッカー開閉ソレノイド４０を作動させるための条件を満たすか否かを判定する。つまり、始動チャッカー開閉ソレノイド４５にあって、始動チャッカー１６の開閉の「条件を満たす」時とは、主基板４１において第１抽選手段３３の大当たり抽選とは別途行われる抽選で当選した場合である。アタッカー開閉ソレノイド４０にあって、アタッカー１７の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞の「条件を満たす」時とは、大当たり発生時における全ての入賞を完了した場合である。
【００４８】
作動決定手段３９は、作動判定手段３８からの判定信号を受けて、始動チャッカー開閉ソレノイド４５、アタッカー開閉ソレノイド４０の作動開始をそれぞれに決定する。
【００４９】
保留制御手段６１は、パチンコ機１の主電源がオンされた時点から左保留回転体回転モータ５５及び右保留回転体回転モータ５６を所定の方向に回転駆動して、保留装置２７の保留回転体４９を図２矢印Ａ方向に、保留装置２８の保留回転体４９を図２矢印Ｂ方向に一定の低速度で夫々に連続回転させるように制御する。保留制御手段６１は更に、保留装置２７，２８の各保留回転体４９の回転状態で、ランダムのタイミングで規制壁５１，５２，５３を１つずつ、或いは一斉に後退させて、保留回転体４９から遊技球Ｂａを一方向に、或いは複数の方向に放出させるように制御し、該放出制御の後、規制壁５１〜５３のうちで後退動作から一定時間を経過したものを突出位置に復帰させるように制御する。
【００５０】
また、始動チャッカー開閉ソレノイド４５は、作動制御手段３７から送信された駆動信号に応答してプランジャ（図示せず）を進退動作させて、始動チャッカー１６を開閉動作させる。
【００５１】
アタッカー開閉ソレノイド４０は、作動制御手段３７から送信された駆動信号に応答してプランジャ（図示せず）を進退動作させて、アタッカー１７を開閉動作させる。
【００５２】
左保留回転体回転モータ５５は、保留制御手段６１の制御に応答して回転駆動し、保留装置２７の保留回転体４９を図２矢印Ａ方向に一定の低速で夫々に連続回転させる。
【００５３】
右保留回転体回転モータ５６は、保留制御手段６１の制御に応答して回転駆動し、保留装置２８の保留回転体４９を図２矢印Ｂ方向に一定の低速で夫々に連続回転させる。
【００５４】
規制壁進退第１ソレノイド５７は、保留装置２７，２８の各保留回転体４９の回転状態で、規制壁５１を遊技盤７から進退させるように保留制御手段６１の制御でプランジャ（図示せず）を進退動作させる。
【００５５】
規制壁進退第２ソレノイド５８は、保留装置２７，２８の各保留回転体４９の回転状態で、規制壁５２を遊技盤７から進退させるように保留制御手段６１の制御でプランジャ（図示せず）を進退動作させる。
【００５６】
規制壁進退第３ソレノイド５９は、保留装置２７，２８の各保留回転体４９の回転状態で、規制壁５３を遊技盤７から進退させるように保留制御手段６１の制御でプランジャ（図示せず）を進退動作させる。
【００５７】
一方、サブ基板４２は、演出制御手段４３及び表示制御手段４４を有しており、サブ基板４２には、放音装置８、演出用照明装置２３及び画像表示装置４７が接続されている。
【００５８】
演出制御手段４３は、主基板４１中の上記マイクロプロセッサから供給される信号に従って、放音装置８、演出用照明装置２３を適時駆動して、遊技者の視覚及び聴覚に訴える演出表示を行う。
【００５９】
表示制御手段４４は、遊技制御手段３５から送信された演出内容に関する信号に従って画像表示装置４７を適時駆動し、大当たり抽選の結果等を遊技者の視覚に訴えるように演出表示する。
【００６０】
放音装置８、演出用照明装置２３及び画像表示装置４７は、上述したように各制御に応答して音、光等の発生により、通常時の演出や大当たり時における特別な演出等を行う。
【００６１】
次に、本パチンコ機１による作用について、図４のフローチャートを併せて参照しつつ説明する。
【００６２】
すなわち、本パチンコ機１を備えた遊技場の営業開始に伴い主電源がオンされると、保留制御手段６１に制御により、左保留回転体回転モータ５５及び右保留回転体回転モータ５６が所定方向に夫々回転駆動し始め、保留装置２７の保留回転体４９が図２矢印Ａ方向に、保留装置２８の保留回転体４９が図２矢印Ｂ方向に夫々に連続回転させられる。
【００６３】
この状態において、本パチンコ機１に対面して着座した遊技者が発射ハンドル９を握り、適宜の角度に回動操作すると（ステップＳ１）、発射装置（図示せず）の作動によって遊技球が所定の時間間隔で遊技領域７ａに向けて連続的に発射される。すると、遊技盤７の遊技領域７ａに打ち出されて転動落下する多数の遊技球は、始動チャッカー１６や入賞口２９，３０に適時入賞し、或いは、これらに寄与せずに転動落下して、遊技領域７ａ最下部のアウト口２２から遊技盤７背面側に排出される。
【００６４】
そして、始動チャッカー１６や入賞口２９，３０の何れかに入賞した場合、入賞判定手段３１が当該入賞を判定し、且つ入賞信号出力手段３２が入賞信号を出力する（ステップＳ２）。この際、保留手段３６は、保留球Ｈが０＜Ｈ＜５であるか否かを常時判定しており、０＜Ｈ＜５を満たすと判定したときには、保留している変動パターンコマンドを、遊技制御手段３５を介して表示制御手段４４に順次送信し、図柄変動禁止フラグをオンすると共に、図柄変動タイマをセットし、変動パターンコマンドの送信に応じて保留球数を１デクリメントする。また保留手段３６は、当該保留球の消費に応じて保留球数ＨがＨ＜４となった場合、第１抽選手段３３で行われる始動チャッカー１６への入賞に応じた大当たり抽選の結果を保留球として記憶し、保留球数を１インクリメントする
【００６５】
そして、大当たり抽選で当選した場合（ステップＳ３）、第１抽選手段３３が当たりフラグをオンすると、第２抽選手段３４が、演出用メモリに格納された演出乱数値に基づく抽選で、大当たりの種別、つまり確変当たり又は通常当たりに対応する変動パターンを決定する。
【００６６】
これにより、ステップＳ４において、画像表示装置４７に表示されるべき当たり図柄がセットされ、第２抽選手段３４は、その旨の変動パターンコマンドを出力すると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置４７に表示される外れ図柄がセットされ、第２抽選手段３４は、その旨の変動パターンコマンドを出力すると共に、図柄変動禁止フラグをオンし、図柄変動タイマをセットし、変動パターンコマンドの送信に応じて保留球数を１デクリメントする。
【００６７】
以上のようにして、遊技制御手段３５が、画像表示装置４７に表示すべき演出内容に関する信号を制御コマンドと共にサブ基板４２の表示制御手段４４に送信することに基づき、表示制御手段４４が、画像表示装置４７を適時駆動し、大当たり抽選結果に関する内容等を、遊技者の視覚に訴えるように演出表示することとなる（ステップＳ５）。
【００６８】
そして、第１抽選手段３３での抽選結果が画像表示装置４７の画面上に表れると、作動制御手段３７が、作動決定手段３９の作動開始決定の旨の信号に基づき、所定のタイミングでアタッカー開閉ソレノイド４０に駆動信号を送り、当該ソレノイド４０を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【００６９】
上述した一連の遊技中、遊技領域７ａに打ち出された遊技球Ｂａの一部が障害釘１１，１１を通過して入球口１０に入球すると、それら遊技球Ｂａが２つの遊技球案内路６の何れかに導入されて、遊技球導入口６ａから放出される状態となる。その際、回転中の保留回転体４９では、遊技球Ｂａを収容した遊技球収容室４９ａが遊技球導入口６ａに対向位置しても、該遊技球導入口６ａから遊技球Ｂａを受け入れることなく回転方向に進む。一方、遊技球Ｂａを収容していない遊技球収容室４９ａが遊技球導入口６ａに対向位置した際には、該遊技球導入口６ａから遊技球Ｂａを受け入れて収容した状態で回転方向に進むこととなる。この動作を繰り返すことにより、各保留回転体４９の複数の遊技球収容室４９ａには、入球口１０から導入された遊技球Ｂａが夫々に収容される。
【００７０】
例えば、各保留回転体４９が複数の遊技球収容室４９ａに遊技球Ｂａを夫々収容した状態で回転しているとき、保留制御手段６１の制御によって、規制壁５１，５２，５３がランダムのタイミングでこの順に後退すると、保留装置２７，２８での各規制壁５１の後退によって規制解除された部分から、何れかの遊技球収容室４９ａ内の遊技球Ｂａが遠心力で遊技領域７ａに放出される。そして、この規制壁５１が突出復帰してから次なる規制壁５２が後退すると、保留装置２７，２８での各規制壁５２の後退で規制解除された部分から、何れかの遊技球収容室４９ａ内の遊技球Ｂａが遠心力で遊技領域７ａに放出される。更に、規制壁５２が突出復帰してから次なる規制壁５３が後退すると、保留装置２７，２８での各規制壁５３の後退で規制解除された部分から、何れかの遊技球収容室４９ａ内の遊技球Ｂａが遠心力で遊技領域７ａに放出される。
【００７１】
これらの動作が繰り返し行われることにより、遊技領域７ａでは、各保留回転体４９内に保留された遊技球Ｂａが適時放出されると共に適時補充されることになり、遊技者は、一旦打ち出された遊技球Ｂａが、保留装置２７，２８から遊技領域７ａにおけるセンター役物１２の周囲に噴出するように放出される光景を視認しつつ、遊技を進行させることができる。
【００７２】
以上説明した本実施形態では、保留装置２７，２８が、複数の遊技球Ｂａを保留し得る保留回転体４９と、保留回転体４９からの遊技球Ｂａの放出を規制する放出規制部Ｒとを備え、保留回転体４９が、放射状の複数の遊技球収容室４９ａを備え、かつ放出規制部Ｒが、保留回転体４９の回転時に該保留回転体４９に対する規制を少なくとも一部解除するように構成される。これにより、遊技領域７ａに一旦打ち出された遊技球Ｂａを遊技球収容室４９ａに収容しつつ回転する保留回転体４９に対する放出規制部Ｒの規制を一部解除することで、その開放部分から遊技球収容室４９ａ内の遊技球Ｂａを、回転する保留回転体４９による遠心力で放出させることができる。この放出する際の遊技球Ｂａの個数やその放出方向は、保留回転体４９に対する放出規制部Ｒの規制解除の仕方に応じて変化させることができ、従って、放出時の迫力を増大させ、より変化に富んだ演出を実現することができる。
【００７３】
また、放出規制部Ｒが、保留回転体４９の回転中に、遊技盤７から進出した状態の規制壁５１〜５３を遊技盤７から後退させて保留回転体４９への規制を解除して遊技球収容室４９ａ内の遊技球Ｂａを遊技領域７ａに放出するように構成されるので、保留回転体４９の回転中に規制壁５１〜５３を進退させるだけの簡単な構造により、保留回転体４９に収容した遊技球Ｂａを所定のタイミングで遊技領域７ａに放出することができるようになる。
【００７４】
更に、保留装置２７，２８が、遊技領域７ａにおけるセンター役物１２の左右に配置され、センター役物１２の上方に、保留装置２７，２８に遊技球Ｂａを導入し得る入球口１０を備えるので、遊技者が遊技領域７ａに向けて遊技球Ｂａを普通に打ち出すだけで、センター役物１２上方の入球口１０に容易に入球させて、保留装置２７，２８に遊技球Ｂａを円滑に導入することができる。
【００７５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７６】
【図１】本発明の実施形態におけるパチンコ機の外部構造を示す正面図である。
【図２】本パチンコ機から遊技盤を単体で分離した状態で示す正面図である。
【図３】本パチンコ機の制御系を示すブロック図である。
【図４】本パチンコ機による作動を説明するためのフローチャートである。
【符号の説明】
【００７７】
１：パチンコ機（遊技機）
７：遊技盤
７ａ：遊技領域
１０：入球口（入球部）
１２：センター役物（ユニット役物）
２７，２８：保留装置
４６：回転軸
４９：保留回転体
４９ａ：遊技球収容室
５０，５１，５２，５３：規制壁
Ｂａ：遊技球
Ｒ：放出規制部
【図１】
2006223526.tif 000003
【図２】
2006223526.tif 000004
【図３】
2006223526.tif 000005
【図４】
2006223526.tif 000006